(57)【特許請求の範囲】
【請求項１】
一端を輪状に、片端をフック状に、全体を略Ｕ字形に形成した線材で構成され印刷用紙を支持するための用紙ガイドと、前記用紙ガイドの輪状に形成された部分に嵌合され前記用紙ガイドが回動する支点となる第１の凸部と前記フック状に形成された部分が係合したときに前記用紙ガイドが回動した時のストッパーとなる第２の凸部を有する用紙ガイド押さえとを備え、前記第１の凸部と前記第２の凸部は前記用紙ガイド押さえの幅方向に前記用紙ガイドの略Ｕ字形の幅とほぼ同間隔離間させたことを特徴とするプリンタ装置。
【請求項２】
用紙ガイドの輪状に形成された部分が嵌合する第１の凸部とフック状に形成された部分が係合する第２の凸部を印刷用紙給紙口を覆うプリンタカバーに設けたことを特徴とする請求項１記載のプリンタ装置。
【請求項３】
用紙ガイドは、印刷用紙支持時には第２の凸部にフック状に形成された部分が係合し円弧状部を上にした状態で保持され、用紙ガイドが使用されないときには前記第２の凸部と前記フック状に形成された部分との係合が解除され円弧状部を横方向に向けた状態で用紙ガイド押さえとプリンタカバーの間に収納可能にしたことを特徴とする請求項１または請求項２記載のプリンタ装置。
【発明の詳細な説明】
【０００１】
【発明の属する技術分野】
本発明はワードプロセッサ等の情報処理装置に内蔵、または接続されて使用されるプリンタ装置に関するものである。
【０００２】
【従来の技術】
近年、文書を作成するためのワードプロセッサ等の情報処理装置において、作成された文書を印刷するためのプリンタ装置は、情報処理装置に内蔵されたり、ケーブルにより情報処理装置と接続されたりして使用される。プリンタ装置で文書を印刷する場合、予め印刷用紙をプリンタ装置の給紙口から挿入してセットするが、１枚毎にこれを行うことは非常に手間であるため、通常複数の印刷用紙を重ねて置き、印刷毎に順次給紙口へ送り出していく方法が採られている。
【０００３】
従来のプリンタ装置を内蔵した情報処理装置を図３に示す。図３において、１１は情報処理装置本体で、後部にプリンタ装置１２が内蔵されている。１３はプリンタ装置１２の印字部（図示せず）に印刷用紙１４が給紙される給紙口、１５は印字済みの印字用紙が排出される排紙口、１６はプリンタ装置の給紙口１３および排紙口１４を覆うプリンタカバーである。また、給紙口１３には複数の印刷用紙を重ねてセットするための用紙ガイド１７が取り付けられている。
【０００４】
以上のように構成された従来のプリンタ装置について、図を用いて説明する。用紙ガイド１７に重ねられた印刷用紙１４のうちの最上部の１枚が給紙口１３に吸入され、印字後排紙口１５より排出される。以後、順次印刷用紙１４が１枚ずつ給紙口に吸入され排紙口１５より排出される。
【０００５】
【発明が解決しようとする課題】
このようなプリンタ装置では、印字を行わないときにはプリンタ装置の給紙口１３および排紙口１５から埃などの異物が混入し、プリンタ装置の動作に悪影響を与える恐れがあるため、プリンタカバー１６により給紙口１３および排紙口１５を覆っておかなければならない。しかしながらそのためには用紙ガイド１７をその度に取り外す必要があった。
【０００６】
本発明はこのような問題点を解決し、簡単で取扱いの容易な用紙ガイドを内蔵したプリンタ装置を提供することを目的とする。
【０００７】
【課題を解決するための手段】
本発明のプリンタ装置においては、線材の両端を輪状とフック状に形成した略Ｕ字形状の用紙ガイドと、用紙ガイドが取り付けられる用紙ガイド押さえまたはプリンタカバーとを備え、使用時には用紙ガイドを立て、使用しないときには用紙ガイドを横にして、収納可能にしたものである。
【０００８】
この発明によれば、簡単で取扱いの容易な用紙ガイドを内蔵したプリンタ装置が得られる。
【０００９】
【発明の実施の形態】
本発明の請求項１に記載の発明は、一端を輪状に、片端をフック状に、全体を略Ｕ字形に形成した線材で構成され印刷用紙を支持するための用紙ガイドと、前記用紙ガイドの輪状に形成された部分に嵌合され前記用紙ガイドが回動する支点となる第１の凸部と前記フック状に形成された部分が係合したときに前記用紙ガイドが回動した時のストッパーとなる第２の凸部を有する用紙ガイド押さえとを備え、前記第１の凸部と前記第２の凸部は前記用紙ガイド押さえの幅方向に前記用紙ガイドの略Ｕ字形の幅とほぼ同間隔離間させたことを特徴とするプリンタ装置としたものであり、用紙ガイドの構成を簡単にし、取り外す事なく容易に取扱えるという作用を有する。
【００１０】
本発明の請求項２に記載の発明は、請求項１記載のプリンタ装置の用紙ガイドの輪状に形成された部分が嵌合する第１の凸部とフック状に形成された部分が係合する第２の凸部を印刷用紙給紙口を覆うプリンタカバーに設けたものであり、請求項１記載の発明と同等の作用を有する。
本発明の請求項２に記載の発明は、請求項１または請求項２記載のプリンタ装置において、用紙ガイドは、印刷用紙支持時には第２の凸部にフック状に形成された部分が係合し円弧状部を上にした状態で保持され、用紙ガイドが使用されないときには前記第２の凸部と前記フック状に形成された部分との係合が解除され円弧状部を横方向に向けた状態で用紙ガイド押さえとプリンタカバーの間に収納可能にしたものであり、用紙ガイドを簡単な構成にし、情報処理装置本体に取り付けたまま収納できるという作用を有する。
【００１１】
（実施の形態１）
図１は本発明のプリンタ装置が内蔵された情報処理を示す外観斜視図である。図１において、１は情報処理装置本体で、後部にプリンタ装置２が内蔵されている。３はプリンタ装置２の印字部（図示せず）に印刷用紙（図示せず）が給紙される給紙口、４は印字済みの印字用紙が排出される排紙口、５はプリンタ装置の給紙口３および排紙口４を覆うプリンタカバーである。また、給紙口３とプリンタカバー５の間には用紙ガイド押さえ６が取り付けられ、用紙ガイド押さえ６には複数の印刷用紙を重ねてセットするための用紙ガイド６が取り付けられている。用紙ガイド７は線材を略Ｕ字形状に形成したもので、その片端は輪状にしており、輪の内寸が用紙ガイド押さえ６に設けられた凸部６ａの外寸と回転可能に嵌合している。またもう一端は、用紙ガイド７が凸部６ａを中心に矢印方向に回転し、Ｕ字形の円弧部が上になったときに凸部６ｂに係合して止まるようにフック形状になっている。凸部６ａと凸部６ｂは用紙ガイド押さえ６の幅方向に用紙ガイド７の略Ｕ字形の幅とほぼ同間隔離間した位置に設けられており、用紙ガイド７は凸部６ｂに沿うように回転する。
【００１２】
図２は用紙ガイド７が収納されたときの状態を示すもので、Ｕ字形の円弧部が横になるように倒したものである。このとき、フック部は凸部６ｂから開放されることになる。そして、用紙ガイド７はプリンタカバー５と用紙ガイド押さえ６の間に収納されるため、この状態で、プリンタカバー５を閉じることができる。なお、本実施例では用紙ガイド７の輪状部に嵌合する凸部、およびフック部に係合する凸部を用紙ガイド押さえ６に設けたが、プリンタカバー５に設けても同じ効果を有する。
【００１３】
【発明の効果】
以上のように本発明によれば、用紙ガイドを簡単な構成でプリンタ装置内に収納可能にしたため、用紙ガイドを印刷のたびに着脱させる必要がなく、非常に取扱いの容易なプリンタ装置を提供することができる。
【図面の簡単な説明】
【図１】本発明の実施例のプリンタ装置を内蔵した情報処理装置の外観斜視図
【図２】本発明の実施例のプリンタ装置の用紙ガイドが収納された状態を示す外観斜視図
【図３】従来のプリンタ装置を内蔵した情報処理装置の外観斜視図
【符号の説明】
１  情報処理装置本体
２  プリンタ装置
３  給紙口
４  排紙口
５  プリンタカバー
６  用紙ガイド押さえ
６ａ、６ｂ  凸部
７  用紙ガイド
【図１】
0003700246.tif 000002
【図２】
0003700246.tif 000003
【図３】
0003700246.tif 000004